(57)【特許請求の範囲】
【請求項１】
音声を電気信号に変換するマイクロホンと、
前記マイクロホンが受けた音声が、集合住宅のインターホンシステムにおけるインターホンの室内端末から発せられた呼び出し音であるかどうかを、前記電気信号を用いて判断する判断部と、
集合玄関での来訪者の画像を示す情報である集合玄関画像情報を受信する集合玄関画像情報受信部と、
前記判断部が、前記マイクロホンが受けた音声が、インターホンの室内端末から発せられた呼び出し音であると判断した場合に、前記集合玄関画像情報受信部が受信した集合玄関画像情報の示す画像を表示デバイスに出力する出力部と、を備えた玄関画像出力装置。
【請求項２】
前記判断部が、前記マイクロホンが受けた音声が、インターホンの室内端末から発せられた呼び出し音であると判断した場合に、前記集合玄関画像情報の送信を要求する情報である要求情報を送信する要求情報送信部をさらに備え、
前記集合玄関画像情報受信部は、前記要求情報の送信に応じて送信された集合玄関画像情報を受信する、請求項１記載の玄関画像出力装置。
【請求項３】
前記判断部が、前記マイクロホンが受けた音声が、インターホンの室内端末から発せられた呼び出し音であると判断した場合に、前記表示デバイスを起動する起動部をさらに備えた、請求項１または請求項２記載の玄関画像出力装置。
【請求項４】
音声を電気信号に変換するマイクロホンと、
前記マイクロホンが受けた音声が、集合住宅のインターホンシステムにおけるインターホンの室内端末から発せられた集合玄関に対応する呼び出し音であるか、あるいは、集合住宅のインターホンシステムにおけるインターホンの室内端末から発せられた個別玄関に対応する呼び出し音であるのかを、前記電気信号を用いて判断する判断部と、
集合玄関での来訪者の画像を示す情報である集合玄関画像情報を受信する集合玄関画像情報受信部と、
個別玄関での来訪者の画像を示す情報である個別玄関画像情報を受信する個別玄関画像情報受信部と、
前記判断部が、前記マイクロホンが受けた音声が、インターホンの室内端末から発せられた集合玄関に対応する呼び出し音であると判断した場合に、前記集合玄関画像情報受信部が受信した集合玄関画像情報を選択し、前記判断部が、前記マイクロホンが受けた音声が、インターホンの室内端末から発せられた個別玄関に対応する呼び出し音であると判断した場合に、前記個別玄関画像情報受信部が受信した個別玄関画像情報を選択する選択部と、
前記判断部が、前記マイクロホンが受けた音声が、インターホンの室内端末から発せられた集合玄関または個別玄関に対応する呼び出し音であると判断した場合に、前記選択部が選択した情報の示す画像を表示デバイスに出力する出力部と、を備えた玄関画像出力装置。
【請求項５】
前記判断部が、前記マイクロホンが受けた音声が、インターホンの室内端末から発せられた集合玄関に対応する呼び出し音であると判断した場合に、前記集合玄関画像情報の送信を要求する情報である要求情報を送信する要求情報送信部をさらに備え、
前記集合玄関画像情報受信部は、前記要求情報の送信に応じて送信された集合玄関画像情報を受信する、請求項４記載の玄関画像出力装置。
【請求項６】
前記判断部が、前記マイクロホンが受けた音声が、インターホンの室内端末から発せられた集合玄関または個別玄関に対応する呼び出し音であると判断した場合に、前記表示デバイスを起動する起動部をさらに備えた、請求項４または請求項５記載の玄関画像出力装置。
【請求項７】
請求項１から請求項３のいずれか記載の複数の玄関画像出力装置と、
前記集合玄関に設けられた集合玄関用カメラと、を備え、
前記集合玄関画像情報受信部は、前記集合玄関用カメラが撮影した画像を示す集合玄関画像情報を受信する、玄関画像出力システム。
【請求項８】
請求項４から請求項６のいずれか記載の玄関画像出力装置、及び個別玄関に設けられた個別玄関用カメラを有する複数の室内システムと、
前記集合玄関に設けられた集合玄関用カメラと、を備え、
前記集合玄関画像情報受信部は、前記集合玄関用カメラが撮影した画像を示す集合玄関画像情報を受信し、
前記個別玄関画像情報受信部は、前記個別玄関用カメラが撮影した画像を示す個別玄関画像情報を受信する、玄関画像出力システム。
【請求項９】
マイクロホンにより音声を電気信号に変換する音声変換ステップと、
前記マイクロホンが受けた音声が、集合住宅のインターホンシステムにおけるインターホンの室内端末から発せられた呼び出し音であるかどうかを、前記電気信号を用いて判断する判断ステップと、
集合玄関での来訪者の画像を示す情報である集合玄関画像情報を受信する集合玄関画像情報受信ステップと、
前記判断ステップで、前記マイクロホンが受けた音声が、インターホンの室内端末から発せられた呼び出し音であると判断した場合に、前記集合玄関画像情報受信ステップで受信した集合玄関画像情報の示す画像を表示デバイスに出力する出力ステップと、を備えた玄関画像出力方法。
【請求項１０】
マイクロホンにより音声を電気信号に変換する音声変換ステップと、
前記マイクロホンが受けた音声が、集合住宅のインターホンシステムにおけるインターホンの室内端末から発せられた集合玄関に対応する呼び出し音であるか、あるいは、集合住宅のインターホンシステムにおけるインターホンの室内端末から発せられた個別玄関に対応する呼び出し音であるのかを、前記電気信号を用いて判断する判断ステップと、
集合玄関での来訪者の画像を示す情報である集合玄関画像情報を受信する集合玄関画像情報受信ステップと、
個別玄関での来訪者の画像を示す情報である個別玄関画像情報を受信する個別玄関画像情報受信ステップと、
前記判断ステップで、前記マイクロホンが受けた音声が、インターホンの室内端末から発せられた集合玄関に対応する呼び出し音であると判断した場合に、前記集合玄関画像情報受信ステップで受信した集合玄関画像情報を選択し、前記判断ステップで、前記マイクロホンが受けた音声が、インターホンの室内端末から発せられた個別玄関に対応する呼び出し音であると判断した場合に、前記個別玄関画像情報受信ステップで受信した個別玄関画像情報を選択する選択ステップと、
前記判断ステップで、前記マイクロホンが受けた音声が、インターホンの室内端末から発せられた集合玄関または個別玄関に対応する呼び出し音であると判断した場合に、前記選択ステップで選択した情報の示す画像を表示デバイスに出力する出力ステップと、を備えた玄関画像出力方法。
【請求項１１】
コンピュータに、
マイクロホンが受けた音声が、集合住宅のインターホンシステムにおけるインターホンの室内端末から発せられた呼び出し音であるかどうかを、マイクロホンが音声を変換した電気信号を用いて判断する判断ステップと、
集合玄関での来訪者の画像を示す情報である集合玄関画像情報を受信する集合玄関画像情報受信ステップと、
前記判断ステップで、前記マイクロホンが受けた音声が、インターホンの室内端末から発せられた呼び出し音であると判断した場合に、前記集合玄関画像情報受信ステップで受信した集合玄関画像情報の示す画像を表示デバイスに出力する出力ステップと、を実行させるためのプログラム。
【請求項１２】
コンピュータに、
マイクロホンが受けた音声が、集合住宅のインターホンシステムにおけるインターホンの室内端末から発せられた集合玄関に対応する呼び出し音であるか、あるいは、集合住宅のインターホンシステムにおけるインターホンの室内端末から発せられた個別玄関に対応する呼び出し音であるのかを、マイクロホンが音声を変換した電気信号を用いて判断する判断ステップと、
集合玄関での来訪者の画像を示す情報である集合玄関画像情報を受信する集合玄関画像情報受信ステップと、
個別玄関での来訪者の画像を示す情報である個別玄関画像情報を受信する個別玄関画像情報受信ステップと、
前記判断ステップで、前記マイクロホンが受けた音声が、インターホンの室内端末から発せられた集合玄関に対応する呼び出し音であると判断した場合に、前記集合玄関画像情報受信ステップで受信した集合玄関画像情報を選択し、前記判断ステップで、前記マイクロホンが受けた音声が、インターホンの室内端末から発せられた個別玄関に対応する呼び出し音であると判断した場合に、前記個別玄関画像情報受信ステップで受信した個別玄関画像情報を選択する選択ステップと、
前記判断ステップで、前記マイクロホンが受けた音声が、インターホンの室内端末から発せられた集合玄関または個別玄関に対応する呼び出し音であると判断した場合に、前記選択ステップで選択した情報の示す画像を表示デバイスに出力する出力ステップと、を実行させるためのプログラム。
【発明の詳細な説明】
【技術分野】
【０００１】
本発明は、玄関での画像を出力する玄関画像出力装置等に関する。
【背景技術】
【０００２】
マンション等の集合住宅においては、集合玄関（共用玄関）からインターホンで各戸の室内端末と通話できるインターホンシステムが導入されていることが多い。そのようなインターホンシステムでは、次のようにしてセキュリティーを高めていることが多い。マンション等の集合住宅への来訪者は、まず集合玄関において、インターホンを用いて訪問先の人を呼び出す。そして、その訪問先の人が集合玄関の扉を解錠することにより、その来訪者は集合住宅の内部に入ることができる。このようにして、集合住宅の内部に不特定の人が入ることを回避し、セキュリティーレベルを向上している。
【０００３】
なお、関連する技術として、集合住宅における種々のインターホンシステムが開発されている（例えば、特許文献１参照）。
【特許文献１】特開２００６−１０１３２８号公報（第１頁、第１図等）
【発明の開示】
【発明が解決しようとする課題】
【０００４】
近年、さらにセキュリティーレベルを向上することが求められてきており、モニター機能を備えることにより、来訪者の画像を事前に確認することができる集合住宅におけるインターホンシステムも導入されてきている。しかしながら、その導入率は決して高いものではなく、現時点では、１０％程度にとどまる。
【０００５】
本発明は、上記問題点を解決するためになされたものであり、モニター機能を備えていない集合住宅のインターホンシステム自体に手を加えることなく、そのインターホンシステムに対して、事後的にモニター機能を付加することができる玄関画像出力装置等を提供することを目的とする。
【課題を解決するための手段】
【０００６】
上記目的を達成するため、本発明による玄関画像出力装置は、音声を電気信号に変換するマイクロホンと、前記マイクロホンが受けた音声が、集合住宅のインターホンシステムにおけるインターホンの室内端末から発せられた呼び出し音であるかどうかを、前記電気信号を用いて判断する判断部と、集合玄関での来訪者の画像を示す情報である集合玄関画像情報を受信する集合玄関画像情報受信部と、前記判断部が、前記マイクロホンが受けた音声が、インターホンの室内端末から発せられた呼び出し音であると判断した場合に、前記集合玄関画像情報受信部が受信した集合玄関画像情報の示す画像を表示デバイスに出力する出力部と、を備えたものである。
【０００７】
このような構成により、モニター機能を備えていない集合住宅のインターホンシステムに対して何ら変更を加えることなく、事後的にモニター機能を付加することができる。したがって、その集合住宅の居住者やテナント等は、来訪者の画像をモニターで確認することができるようになり、セキュリティーレベルを向上することができる。
【０００８】
また、本発明による玄関画像出力装置では、前記判断部が、前記マイクロホンが受けた音声が、インターホンの室内端末から発せられた呼び出し音であると判断した場合に、前記集合玄関画像情報の送信を要求する情報である要求情報を送信する要求情報送信部をさらに備え、前記集合玄関画像情報受信部は、前記要求情報の送信に応じて送信された集合玄関画像情報を受信してもよい。
【０００９】
このような構成により、要求情報を送信した場合にのみ集合玄関画像情報が送信される場合であっても、インターホンの室内端末から呼び出し音が発せられたタイミングで、集合玄関画像情報を受信することができるようになる。
【００１０】
また、本発明による玄関画像出力装置では、前記判断部が、前記マイクロホンが受けた音声が、インターホンの室内端末から発せられた呼び出し音であると判断した場合に、前記表示デバイスを起動する起動部をさらに備えてもよい。
【００１１】
このような構成により、インターホンの室内端末から呼び出し音が発せられたタイミングで表示デバイスを起動することができ、玄関の画像をその表示デバイスに確実に表示することができるようになる。また、呼び出し音が発せられるまでは、表示デバイスを動作させなくてもよいため、省エネルギーに貢献することができうる。
【００１２】
本発明による玄関画像出力装置は、音声を電気信号に変換するマイクロホンと、前記マイクロホンが受けた音声が、集合住宅のインターホンシステムにおけるインターホンの室内端末から発せられた集合玄関に対応する呼び出し音であるか、あるいは、集合住宅のインターホンシステムにおけるインターホンの室内端末から発せられた個別玄関に対応する呼び出し音であるのかを、前記電気信号を用いて判断する判断部と、集合玄関での来訪者の画像を示す情報である集合玄関画像情報を受信する集合玄関画像情報受信部と、個別玄関での来訪者の画像を示す情報である個別玄関画像情報を受信する個別玄関画像情報受信部と、前記判断部が、前記マイクロホンが受けた音声が、インターホンの室内端末から発せられた集合玄関に対応する呼び出し音であると判断した場合に、前記集合玄関画像情報受信部が受信した集合玄関画像情報を選択し、前記判断部が、前記マイクロホンが受けた音声が、インターホンの室内端末から発せられた個別玄関に対応する呼び出し音であると判断した場合に、前記個別玄関画像情報受信部が受信した個別玄関画像情報を選択する選択部と、前記判断部が、前記マイクロホンが受けた音声が、インターホンの室内端末から発せられた集合玄関または個別玄関に対応する呼び出し音であると判断した場合に、前記選択部が選択した情報の示す画像を表示デバイスに出力する出力部と、を備えたものである。
【００１３】
このような構成により、モニター機能を備えていない集合住宅のインターホンシステムに対して、事後的にモニター機能を付加することができる。したがって、その集合住宅の居住者やテナント等は、来訪者の画像をモニターで確認することができるようになり、セキュリティーレベルを向上することができる。また、表示デバイスに集合玄関画像情報の画像を表示するのか、あるいは、個別玄関画像情報の画像を表示するのかが自動的に選択されるため、例えば、表示デバイスに表示される画像をユーザが手動で設定する場合に比べて、ユーザの利便性が向上されている。
【００１４】
また、本発明による玄関画像出力装置では、前記判断部が、前記マイクロホンが受けた音声が、インターホンの室内端末から発せられた集合玄関に対応する呼び出し音であると判断した場合に、前記集合玄関画像情報の送信を要求する情報である要求情報を送信する要求情報送信部をさらに備え、前記集合玄関画像情報受信部は、前記要求情報の送信に応じて送信された集合玄関画像情報を受信してもよい。
【００１５】
このような構成により、要求情報を送信した場合にのみ集合玄関画像情報が送信される場合であっても、インターホンの室内端末から集合玄関に対応する呼び出し音が発せられたタイミングで、集合玄関画像情報を受信することができるようになる。
【００１６】
また、本発明による玄関画像出力装置では、前記判断部が、前記マイクロホンが受けた音声が、インターホンの室内端末から発せられた集合玄関または個別玄関に対応する呼び出し音であると判断した場合に、前記表示デバイスを起動する起動部をさらに備えてもよい。
【００１７】
このような構成により、集合玄関または個別玄関に対応する呼び出し音がインターホンの室内端末から発せられたタイミングで表示デバイスを起動することができ、玄関の画像をその表示デバイスに確実に表示することができるようになる。また、呼び出し音が発せられるまでは、表示デバイスを動作させなくてもよいため、省エネルギーに貢献することができうる。
【発明の効果】
【００１８】
本発明による玄関画像出力装置等によれば、モニター機能を備えていない集合住宅のインターホンシステムに対して、事後的にモニター機能を付加することができる。したがって、その集合住宅の居住者やテナント等は、来訪者の画像をモニターで確認することができるようになり、セキュリティーレベルを向上することができる。
【発明を実施するための最良の形態】
【００１９】
以下、本発明による玄関画像出力装置について、実施の形態を用いて説明する。なお、以下の実施の形態において、同じ符号を付した構成要素及びステップは同一または相当するものであり、再度の説明を省略することがある。
【００２０】
（実施の形態１）
本発明の実施の形態１による玄関画像出力装置について、図面を参照しながら説明する。
図１は、本実施の形態によるインターホンシステムの構成を示す図である。図１において、本実施の形態によるインターホンシステムは、集合住宅の各戸に設けられている玄関画像出力装置１と、個別玄関用カメラ２と、室内端末３と、個別玄関端末４と、集合玄関に設けられている集合玄関用カメラ５と、集合玄関端末６と、室内端末３と集合玄関端末６との接続の制御や、室内端末３からの指示に応じて集合玄関の扉を解錠する制御等を行う制御部７とを備える。
【００２１】
なお、図１では、説明の便宜上、集合住宅にＡ宅、Ｂ宅、Ｃ宅の３戸のみが存在する場合について示しているが、集合住宅は、２戸以上の任意の戸数であればよい。
【００２２】
また、この集合住宅は、マンションであってもよく、複数の事業所等のテナントを有するテナントビルであってもよく、複数の一戸建ての家が集まった住宅地域であってもよく、個別玄関のみでなく集合玄関を有する集合住宅であれば、どのような形式であってもよい。複数の一戸建ての家が集まった住宅地域としては、例えば、いわゆるゲーテッド・コミュニティ（Ｇａｔｅｄ  Ｃｏｍｍｕｎｉｔｙ）などがある。集合住宅がマンションやテナントビルである場合には、集合玄関は、例えば、来訪者が集合住宅に入るために通過しなければならない出入り口であり、集合住宅の各戸の人と通話可能なインターホンが設けられており、多くの場合、その集合玄関における扉を集合住宅の各戸から室内端末３から解錠することによって来訪者が集合住宅に入ることができるようになる。また、集合住宅がゲーテッド・コミュニティである場合には、集合玄関は、そのゲーテッド・コミュニティの出入り口（ゲート）であり、集合住宅の各戸の人と通話可能なインターホンが設けられており、多くの場合、その集合玄関における扉を集合住宅の各戸の室内端末３から解錠することによって、来訪者がゲーテッド・コミュニティの敷地内に入ることができるようになる。
【００２３】
室内端末３と、個別玄関端末４と、集合玄関端末６と、制御部７とによって構成されるインターホンシステムは、従来から集合住宅に存在するインターホンシステムと同様のものであり、その詳細な説明を省略する。
【００２４】
個別玄関用カメラ２は、来訪者が個別玄関まで来たときに、その来訪者の顔や全身を撮影可能なように設けられたカメラである。集合玄関用カメラ５は、来訪者が集合玄関まで来たときに、その来訪者の顔や全身を撮影可能なように設けられたカメラである。個別玄関用カメラ２及び集合玄関用カメラ５は、従来のモニター機能付きインターホンシステム等において用いられているモニター用カメラや、監視システム等において用いられるカメラと同様のものであり、その詳細な説明を省略する。
【００２５】
図２は、本実施の形態による玄関画像出力装置１の構成を示すブロック図である。図２において、本実施の形態による玄関画像出力装置１は、マイクロホン１１と、判断部１２と、集合玄関画像情報受信部１３と、個別玄関画像情報受信部１４と、選択部１５と、出力部１６とを備える。
【００２６】
マイクロホン１１は、音声を電気信号に変換する。このマイクロホン１１は、インターホンの室内端末３から発せられた呼び出し音を受けるものである。したがって、マイクロホン１１は、室内端末３の発した呼び出し音を受けることができる範囲の位置に設けられることが好ましい。
【００２７】
判断部１２は、マイクロホン１１が受けた音声が、インターホンの室内端末３から発せられた集合玄関に対応する呼び出し音であるか、あるいは、インターホンの室内端末３から発せられた個別玄関に対応する呼び出し音であるのかを、電気信号を用いて判断する。
【００２８】
ここで、この判断部１２による判断の方法について説明する。
まず、集合玄関に対応する呼び出し音と、個別玄関に対応する呼び出し音とは異なるものとする。例えば、それらの呼び出し音は、音色そのものが異なってもよい。例えば、一方の呼び出し音が「ピンポン」であり、他方の呼び出し音が「キンコン」である場合などである。この場合には、判断部１２は、例えば、集合玄関に対応する呼び出し音を示す音情報と、個別玄関に対応する呼び出し音を示す音情報とをあらかじめ保持しておき、マイクロホン１１が所定の音声を受けた場合に、その音声に対応する電気信号と、あらかじめ保持している音情報とをパターンマッチング等の技術を用いて比較し、一致するかあるいは類似度が所定のしきい値以上である音情報に対応する玄関の呼び出し音が室内端末３から発せられたと判断してもよい。判断部１２は、公知の音声認識の技術を用いてこの処理を行ってもよい。
【００２９】
また、例えば、それらの呼び出し音は、音の長さが異なってもよい。例えば、一方の呼び出し音が「ピンポン」であり、他方の呼び出し音が「ピンポンピンポン」である場合などである。この場合には、判断部１２は、例えば、集合玄関に対応する呼び出し音の長さを示す長さ情報と、個別玄関に対応する呼び出し音の長さを示す長さ情報とをあらかじめ保持しておき、マイクロホン１１が所定の音声を受けた場合に、その音声に対応する電気信号の長さと、あらかじめ保持している長さ情報とをパターンマッチング等の技術を用いて比較し、一致するかあるいは類似度が所定のしきい値以上である長さ情報に対応する玄関の呼び出し音が室内端末３から発せられたと判断してもよい。この場合も、呼び出し音の音色が違う場合と同様に、それぞれの音情報を保持しておき、その音情報を用いて判断してもよいことは言うまでもない。
【００３０】
また、例えば、両者は、音の大きさが異なってもよい。例えば、一方の呼び出し音に比べて、他方の呼び出し音が小さな音であってもよい。この場合には、判断部１２は、例えば、集合玄関に対応する呼び出し音の大きさのレベルを示す音レベル情報と、個別玄関に対応する呼び出し音の大きさのレベル示す音レベル情報とをあらかじめ保持しておき、マイクロホン１１が所定の音声を受けた場合に、その音声に対応する電気信号の振幅と、あらかじめ保持している音レベル情報とを比較し、一致するかあるいは類似度が所定のしきい値以上である音レベル情報に対応する玄関の呼び出し音が室内端末３から発せられたと判断してもよい。
【００３１】
なお、上記以外の方法によって、マイクロホン１１が受けた音声が、集合玄関に対応する呼び出し音であるか、あるいは、個別玄関に対応する呼び出し音であるのかを判断することができる場合には、その方法を用いてもよいことは言うまでもない。
【００３２】
集合玄関画像情報受信部１３は、集合玄関での来訪者の画像を示す情報である集合玄関画像情報を受信する。この集合玄関画像情報は、集合玄関用カメラ５で撮影された画像を示す情報である。集合玄関画像情報は、来訪者を適切に確認できる画像であれば、動画であってもよく、静止画であってもよい。また、集合玄関画像情報のデータ形式は問わない。集合玄関画像情報は、例えば、集合住宅に配設された専用の通信回線やケーブル等を介して送信されてもよく、あるいは、あらかじめ配設されているケーブルテレビ（ＣＡＴＶ）のネットワークや、ＬＡＮ等の通信回線を介して送信されてもよい。なお、集合玄関画像情報受信部１３は、受信を行うための受信デバイス（例えば、モデムやネットワークカードなど）を含んでもよく、あるいは含まなくてもよい。また、集合玄関画像情報受信部１３は、ハードウェアによって実現されてもよく、あるいは受信デバイスを駆動するドライバ等のソフトウェアによって実現されてもよい。
【００３３】
個別玄関画像情報受信部１４は、個別玄関での来訪者の画像を示す情報である個別玄関画像情報を受信する。この個別玄関画像情報は、個別玄関用カメラ２で撮影された画像を示す情報である。個別玄関画像情報は、来訪者を適切に確認できる画像であれば、動画であってもよく、静止画であってもよい。また、個別玄関画像情報のデータ形式は問わない。個別玄関画像情報は、例えば、集合住宅に配設された専用の通信回線やケーブル等を介して送信されてもよく、あるいは、あらかじめ配設されているインターホンシステムのケーブルや、通信回線等を介して送信されてもよい。なお、個別玄関画像情報受信部１４は、受信を行うための受信デバイス（例えば、モデムやネットワークカードなど）を含んでもよく、あるいは含まなくてもよい。また、個別玄関画像情報受信部１４は、ハードウェアによって実現されてもよく、あるいは受信デバイスを駆動するドライバ等のソフトウェアによって実現されてもよい。
【００３４】
選択部１５は、マイクロホン１１が受けた音声が、インターホンの室内端末３から発せられた集合玄関に対応する呼び出し音であると判断部１２が判断した場合に、集合玄関画像情報受信部１３が受信した集合玄関画像情報を選択する。また、選択部１５は、マイクロホン１１が受けた音声が、インターホンの室内端末３から発せられた個別玄関に対応する呼び出し音であると判断部１２が判断した場合に、個別玄関画像情報受信部１４が受信した個別玄関画像情報を選択する。選択部１５は、例えば、集合玄関画像情報と個別玄関画像情報とをスイッチ等によって切り替えることによって、この選択を行ってもよい。
【００３５】
出力部１６は、選択部１５が選択した情報の示す画像を表示デバイスに出力する。表示デバイスとは、例えば、例えば、ＣＲＴや液晶ディスプレイなどである。その出力は、例えば、ケーブル等を介して画像のデータを表示デバイスに渡すことであってもよく、あるいは、通信回線等を介して画像のデータを表示デバイスに送信することであってもよい。選択部１５による情報の選択の後に、この出力部１６による出力が行われるため、結果として、マイクロホン１１が受けた音声が、集合住宅のインターホンシステムにおけるインターホンの室内端末３から発せられた集合玄関または個別玄関に対応する呼び出し音であると判断部１２が判断した場合に、この出力部１６による出力が行われることになる。
なお、出力部１６は、その表示デバイスを含んでもよく、あるいは含まなくてもよい。また、出力部１６は、表示デバイスに情報を出力するデバイスを含んでもよく、あるいは含まなくてもよい。また、出力部１６は、ハードウェアによって実現されてもよく、あるいは、それらのデバイスを駆動するドライバ等のソフトウェアによって実現されてもよい。本実施の形態では、出力部１６は表示デバイスを含まず、外部の表示デバイス２１に画像情報を渡すものであるとする。
次に、本実施の形態による玄関画像出力装置１の動作について、図３のフローチャートを用いて説明する。
【００３６】
（ステップＳ１０１）判断部１２は、マイクロホン１１での受音があったかどうか判断する。そして、受音があった場合には、ステップＳ１０２に進み、そうでない場合には、受音があるまでステップＳ１０１の処理を繰り返す。なお、判断部１２は、この判断を、例えば、マイクロホン１１からの電気信号のレベルが０でなくなったことによって判断してもよく、その他の方法で判断してもよい。
【００３７】
（ステップＳ１０２）判断部１２は、マイクロホン１１の受音した音声が、集合玄関に対応する呼び出し音であるかどうか判断する。そして、集合玄関に対応する呼び出し音である場合には、ステップＳ１０５に進み、そうでない場合には、ステップＳ１０３に進む。
【００３８】
（ステップＳ１０３）判断部１２は、マイクロホン１１の受音した音声が、個別玄関に対応する呼び出し音であるかどうか判断する。そして、個別玄関に対応する呼び出し音である場合には、ステップＳ１０４に進み、そうでない場合には、マイクロホン１１の受音した音声がいずれの呼び出し音でもないため、ステップＳ１０１に戻る。
【００３９】
（ステップＳ１０４）選択部１５は、個別玄関画像情報受信部１４の受信した個別玄関画像情報を選択する。
【００４０】
（ステップＳ１０５）選択部１５は、集合玄関画像情報受信部１３の受信した集合玄関画像情報を選択する。
【００４１】
（ステップＳ１０６）出力部１６は、選択部１５の選択した画像情報を表示デバイス２１に出力する。そして、ステップＳ１０１に戻る。なお、表示デバイス２１への画像情報の出力は、例えば、所定の時間（例えば、１分など）が経過した時点で終了してもよく、ユーザからの指示（例えば、ユーザが終了ボタンを押したことなど）に応じて終了してもよく、あるいは、その他のイベント等をトリガーとして終了してもよい。
なお、図３のフローチャートにおいて、電源オフや処理終了の割り込みにより処理は終了する。
【００４２】
また、図３のフローチャートにおいて、まず、マイクロホン１１が受音した音声が呼び出し音であるかどうかを判断し、呼び出し音であると判断された場合に、その呼び出し音が集合玄関に対応するものか、個別玄関に対応するものであるかを判断するようにしてもよい。
【００４３】
次に、本実施の形態による玄関画像出力装置１の動作について、具体例を用いて説明する。なお、この具体例では、インターホンシステムの動作を含めて説明する。
【００４４】
この具体例では、判断部１２が、図４で示されるように、集合玄関に対応する呼び出し音を示す情報である「音情報００１」と、個別玄関に対応する呼び出し音を示す情報である「音情報００２」とを保持しているものとする。これらの情報は、呼び出し音とのパターンマッチングで用いられる。
【００４５】
また、この具体例では、集合玄関に対応する呼び出し音が「ピンポン」であり、個別玄関に対応する呼び出し音が「キンコン」であるとする。
【００４６】
まず、ＡＢＣさんがＡ宅を訪問するために、図５で示されるように、Ａ宅の集合住宅の集合玄関まで来たとする。ＡＢＣさんは、集合玄関端末６を操作することによって、Ａ宅に対応する番号を入力し、呼び出しボタンを押す。すると、Ａ宅の室内端末３から、集合玄関に対応する呼び出し音「ピンポン」が発せられる。
【００４７】
マイクロホン１１がその呼び出し音「ピンポン」を受け、図６で示されるように、電気信号（音信号）に変換する。すると、判断部１２は、受音があったと判断し（ステップＳ１０１）、図６で示される電気信号と、あらかじめ保持している集合玄関に対応する「音情報００１」とを比較する。この場合には、両者が一致したとする。すると、判断部１２は、集合玄関の呼び出し音が室内端末３から発せられたと判断し（ステップＳ１０２）、その旨を選択部１５に渡す。すると、選択部１５は、集合玄関画像情報受信部１３が受信した集合玄関画像情報を選択し（ステップＳ１０５）、出力部１６に渡す。出力部１６は、その集合玄関画像情報を表示ディスプレイ（モニター）に出力する（ステップＳ１０６）。その結果、図５で示されるように、Ａ宅のモニターにおいて、来訪者であるＡＢＣさんの画像が表示される。このようにして、Ａ宅の居住者は、集合玄関への来訪者であるＡＢＣさんの画像をモニターで確認することができる。
【００４８】
Ａ宅の居住者がＡＢＣさんとインターホンシステムで通話した後に、集合玄関の扉を解錠したとする。そして、ＡＢＣさんは、集合玄関の扉を開けて集合住宅に入り、Ａ宅の個別玄関まで来て、個別玄関の個別玄関端末４の呼び出しボタンを押したとする。すると、Ａ宅の室内端末３から、個別玄関に対応する呼び出し音「キンコン」が発せられる。
【００４９】
マイクロホン１１がその呼び出し音「キンコン」を受け、電気信号（音信号）に変換する。すると、判断部１２は、受音があったと判断し（ステップＳ１０１）、その電気信号と、あらかじめ保持している集合玄関に対応する「音情報００１」とを比較する。この場合には、両者が一致しないとする。すると、判断部１２は、集合玄関の呼び出し音が室内端末３から発せられたのではないと判断し（ステップＳ１０２）、マイクロホン１１からの電気信号と、あらかじめ保持している個別玄関に対応する「音情報００２」とを比較する。この場合には、両者が一致したとする。すると、判断部１２は、個別玄関の呼び出し音が室内端末３から発せられたと判断し（ステップＳ１０３）、その旨を選択部１５に渡す。すると、選択部１５は、個別玄関画像情報受信部１４が受信した個別玄関画像情報を選択し（ステップＳ１０４）、出力部１６に渡す。出力部１６は、その個別玄関画像情報を表示ディスプレイ（モニター）に出力する（ステップＳ１０６）。その結果、図７で示されるように、Ａ宅のモニターにおいて、来訪者であるＡＢＣさんの画像が表示される。このようにして、Ａ宅の居住者は、個別玄関への来訪者であるＡＢＣさんの画像をモニターで確認することができる。
【００５０】
以上のように、本実施の形態による玄関画像出力装置１によれば、モニター機能を備えていない集合住宅のインターホンシステムに対して、事後的にモニター機能を付加することができる。したがって、その集合住宅の居住者やテナント等は、来訪者をモニターで確認することができるようになり、セキュリティーレベルを向上することができる。
【００５１】
また、本実施の形態による玄関画像出力装置１を用いれば、既存のインターホンシステム自体に手を加えることなくモニター機能の導入を行うことができる。したがって、既存のインターホンシステム自体を、モニター機能の付いたシステムに変更する場合には、その既存のインターホンシステムを一時的に停止しなければならないが、本実施の形態による玄関画像出力装置１を用いた場合には、モニター機能の導入時にも、既存のインターホンシステムを停止する必要がなく、集合住宅の居住者やテナント等の利便性を害することがない。
【００５２】
また、本実施の形態による玄関画像出力装置１を用いれば、表示デバイス２１に表示される画像が自動的に選択されるため、例えば、表示デバイス２１に表示される画像をユーザが手動で設定する場合に比べて、ユーザの利便性が向上されている。
【００５３】
なお、集合玄関画像情報が絶えず玄関画像出力装置１に送信されるのではなく、要求情報を送信した場合にのみ送信される場合には、図８で示されるように、玄関画像出力装置１が要求情報送信部１７をさらに備えてもよい。ここで、要求情報送信部１７は、マイクロホン１１が受けた音声が、集合住宅のインターホンシステムにおけるインターホンの室内端末３から発せられた集合玄関に対応する呼び出し音であると判断部１２が判断した場合に、集合玄関画像情報の送信を要求する情報である要求情報を送信する。この要求情報の送信先は、例えば、集合玄関用カメラ５であってもよく、その集合玄関用カメラ５を制御するコントローラ等であってもよい。その要求情報を集合玄関用カメラ５等が受信することにより、集合玄関用カメラ５の撮影した画像を示す集合玄関画像情報が玄関画像出力装置１に送信されるものとする。このようにして、集合玄関画像情報受信部１３は、要求情報の送信に応じて送信された集合玄関画像情報を受信することになる。
【００５４】
また、画像情報を表示する表示デバイス２１が、いつでも画像情報を表示するものではなく、例えば、一定時間以上画像情報の入力がない場合にはスリープ状態となってしまう場合、シャットダウンしてしまう場合、あるいは、起動しない限り画像情報を表示しない場合等には、図９で示されるように、玄関画像出力装置１が、表示デバイス２１を起動する起動部１８をさらに備えてもよい。ここで、起動部１８は、マイクロホン１１が受けた音声が、集合住宅のインターホンシステムにおけるインターホンの室内端末３から発せられた集合玄関または個別玄関に対応する呼び出し音であると判断部１２が判断した場合に、表示デバイス２１を起動する。起動の方法としては、例えば、専用線等によって表示デバイス２１に起動コマンドを送信し、その起動コマンドによって起動する方法や、表示デバイス２１がリモコン（リモートコントロール）によって操作可能なテレビ受像器等である場合には、起動部１８から表示デバイス２１を起動するための赤外線信号を送信し、その信号によって起動する方法などがありうる。
【００５５】
（実施の形態２）
本発明の実施の形態２による玄関画像出力装置について、図面を参照しながら説明する。本実施の形態による玄関画像出力装置は、集合玄関画像情報のみを出力するものである。
【００５６】
本実施の形態によるインターホンシステムは、個別玄関用カメラ２を備えなくてもよい以外、実施の形態１の図１と同様であり、その説明を省略する。
【００５７】
図１０は、本実施の形態による玄関画像出力装置２０の構成を示すブロック図である。図１０において、本実施の形態による玄関画像出力装置２０は、マイクロホン１１と、集合玄関画像情報受信部１３と、出力部１６と、判断部２２とを備える。判断部２２以外の構成及び動作は、実施の形態１と同様であり、その説明を省略する。
【００５８】
判断部２２は、マイクロホン１１が受けた音声が、インターホンの室内端末３から発せられた呼び出し音であるかどうかを、電気信号を用いて判断する。本実施の形態の判断部２２では、実施の形態１の判断部１２と異なり、呼び出し音の種類まで判断しなくてもよく、呼び出し音の有無のみを判断すればよいことになる。したがって、実施の形態１の判断部１２で説明したように、呼び出し音を示す音情報を保持しておき、その音情報とマイクロホン１１からの電気信号とのパターンマッチングによって、呼び出し音の有無を判断してもよく、あるいは、マイクロホン１１で所定の大きさのレベル以上の音が受けられたかどうかによって、呼び出し音の有無を判断してもよい。後者の場合には、誤判断を避けるために、マイクロホン１１に、呼び出し音以外の音が入らないようにしておくことが好ましい。
【００５９】
なお、出力部１６は、マイクロホン１１が受けた音声が、集合住宅のインターホンシステムにおけるインターホンの室内端末３から発せられた呼び出し音であると判断部２２が判断した場合に、集合玄関画像情報受信部１３が受信した集合玄関画像情報の示す画像を表示デバイス２１に出力する。
【００６０】
図１１は、本実施の形態による玄関画像出力装置２０の動作を示すフローチャートである。なお、ステップＳ１０１の処理は、実施の形態１の図３のフローチャートと同様であり、その説明を省略する。
【００６１】
（ステップＳ２０１）判断部２２は、マイクロホン１１の受音した音声が、呼び出し音であるかどうか判断する。そして、呼び出し音である場合には、ステップＳ２０２に進み、そうでない場合には、ステップＳ１０１に戻る。
【００６２】
（ステップＳ２０２）出力部１６は、集合玄関画像情報受信部１３が受信した集合玄関画像情報を表示デバイス２１に出力する。そして、ステップＳ１０１に戻る。なお、表示デバイス２１への画像情報の出力は、例えば、所定の時間（例えば、１分など）が経過した時点で終了してもよく、ユーザからの指示（例えば、ユーザが終了ボタンを押したことなど）に応じて終了してもよく、あるいは、その他のイベント等をトリガーとして終了してもよい。
なお、図１１のフローチャートにおいて、電源オフや処理終了の割り込みにより処理は終了する。
【００６３】
また、本実施の形態による玄関画像出力装置２０の動作、及びインターホンシステムの動作の具体例は、実施の形態１の具体例から自明のものであり、その説明を省略する。
【００６４】
以上のように、本実施の形態による玄関画像出力装置２０によれば、モニター機能を備えていない集合住宅のインターホンシステムに対して、事後的にモニター機能を付加することができる。したがって、その集合住宅の居住者やテナント等は、来訪者をモニターで確認することができるようになり、セキュリティーレベルを向上することができる。
【００６５】
なお、集合玄関画像情報が絶えず玄関画像出力装置２０に送信されるのではなく、要求情報を送信した場合にのみ送信される場合には、図１２で示されるように、玄関画像出力装置２０が要求情報送信部２３をさらに備えてもよいことは、実施の形態１と同様である。ここで、要求情報送信部２３は、マイクロホン１１が受けた音声が、集合住宅のインターホンシステムにおけるインターホンの室内端末３から発せられた呼び出し音であると判断部２２が判断した場合に、集合玄関画像情報の送信を要求する情報である要求情報を送信する。この要求情報の送信先は、例えば、集合玄関用カメラ５であってもよく、その集合玄関用カメラ５を制御するコントローラ等であってもよい。その要求情報を集合玄関用カメラ５等が受信することにより、集合玄関用カメラ５の撮影した画像を示す集合玄関画像情報が玄関画像出力装置２０に送信されるものとする。このようにして、集合玄関画像情報受信部１３は、要求情報の送信に応じて送信された集合玄関画像情報を受信することになる。
【００６６】
また、画像情報を表示する表示デバイス２１が、いつでも画像情報を表示するものではなく、例えば、一定時間以上画像情報の入力がない場合にはスリープ状態となってしまう場合、シャットダウンしてしまう場合、あるいは、起動しない限り画像情報を表示しない場合等には、図１３で示されるように、玄関画像出力装置２０が、表示デバイス２１を起動する起動部２４をさらに備えてもよいことは、実施の形態１と同様である。ここで、起動部２４は、マイクロホン１１が受けた音声が、集合住宅のインターホンシステムにおけるインターホンの室内端末３から発せられた呼び出し音であると判断部２２が判断した場合に、表示デバイス２１を起動する。起動の方法は、実施の形態１で説明したとおりである。
【００６７】
また、上記各実施の形態において、各処理または各機能は、単一の装置または単一のシステムによって集中処理されることによって実現されてもよく、あるいは、複数の装置または複数のシステムによって分散処理されることによって実現されてもよい。
【００６８】
また、上記各実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。なお、上記実施の形態における玄関画像出力装置を実現するソフトウェアは、以下のようなプログラムである。つまり、このプログラムは、コンピュータに、マイクロホンが受けた音声が、集合住宅のインターホンシステムにおけるインターホンの室内端末から発せられた呼び出し音であるかどうかを、マイクロホンが音声を変換した電気信号を用いて判断する判断ステップと、集合玄関での来訪者の画像を示す情報である集合玄関画像情報を受信する集合玄関画像情報受信ステップと、前記判断ステップで、前記マイクロホンが受けた音声が、インターホンの室内端末から発せられた呼び出し音であると判断した場合に、前記集合玄関画像情報受信ステップで受信した集合玄関画像情報の示す画像を表示デバイスに出力する出力ステップと、を実行させるためのものである。
【００６９】
また、上記実施の形態における玄関画像出力装置を実現する他のソフトウェアは、以下のようなプログラムである。つまり、このプログラムは、コンピュータに、マイクロホンが受けた音声が、集合住宅のインターホンシステムにおけるインターホンの室内端末から発せられた集合玄関に対応する呼び出し音であるか、あるいは、集合住宅のインターホンシステムにおけるインターホンの室内端末から発せられた個別玄関に対応する呼び出し音であるのかを、マイクロホンが音声を変換した電気信号を用いて判断する判断ステップと、集合玄関での来訪者の画像を示す情報である集合玄関画像情報を受信する集合玄関画像情報受信ステップと、個別玄関での来訪者の画像を示す情報である個別玄関画像情報を受信する個別玄関画像情報受信ステップと、前記判断ステップで、前記マイクロホンが受けた音声が、インターホンの室内端末から発せられた集合玄関に対応する呼び出し音であると判断した場合に、前記集合玄関画像情報受信ステップで受信した集合玄関画像情報を選択し、前記判断ステップで、前記マイクロホンが受けた音声が、インターホンの室内端末から発せられた個別玄関に対応する呼び出し音であると判断した場合に、前記個別玄関画像情報受信ステップで受信した個別玄関画像情報を選択する選択ステップと、前記判断ステップで、前記マイクロホンが受けた音声が、インターホンの室内端末から発せられた集合玄関または個別玄関に対応する呼び出し音であると判断した場合に、前記選択ステップで選択した情報の示す画像を表示デバイスに出力する出力ステップと、を実行させるためのものである。
【００７０】
なお、上記プログラムにおいて、情報を出力する出力ステップや、情報を受信する受信ステップなどでは、ハードウェアでしか行われない処理、例えば、出力ステップにおけるモデムやインターフェースカードなどで行われる処理は少なくとも含まれない。
【００７１】
また、このプログラムは、サーバなどからダウンロードされることによって実行されてもよく、所定の記録媒体（例えば、ＣＤ−ＲＯＭなどの光ディスクや磁気ディスク、半導体メモリなど）に記録されたプログラムが読み出されることによって実行されてもよい。
【００７２】
また、このプログラムを実行するコンピュータは、単数であってもよく、複数であってもよい。すなわち、集中処理を行ってもよく、あるいは分散処理を行ってもよい。
【００７３】
また、上記玄関画像出力装置において、判断部１２と選択部１５との処理や、判断部２２における処理等をＤＳＰ（Ｄｉｇｉｔａｌ  Ｓｉｇｎａｌ  Ｐｒｏｃｅｓｓｏｒ）等において実行してもよい。
また、本発明は、以上の実施の形態に限定されることなく、種々の変更が可能であり、それらも本発明の範囲内に包含されるものであることは言うまでもない。
【産業上の利用可能性】
【００７４】
以上より、本発明による玄関画像出力装置等によれば、モニター機能を備えていない集合住宅のインターホンシステムに対して、事後的にモニター機能を付加することができ、集合住宅におけるインターホンシステム等において有用である。
【図面の簡単な説明】
【００７５】
【図１】本発明の実施の形態１によるインターホンシステムの構成を示す図
【図２】同実施の形態による玄関画像出力装置の構成を示すブロック図
【図３】同実施の形態による玄関画像出力装置の動作を示すフローチャート
【図４】同実施の形態における集合玄関と個別玄関との呼び出し音の情報の一例を示す図
【図５】同実施の形態における具体例について説明するための図
【図６】同実施の形態における呼び出し音の電気信号の一例を示す図
【図７】同実施の形態における具体例について説明するための図
【図８】同実施の形態による玄関画像出力装置の他の構成を示すブロック図
【図９】同実施の形態による玄関画像出力装置の他の構成を示すブロック図
【図１０】本発明の実施の形態２による玄関画像出力装置の構成を示すブロック図
【図１１】同実施の形態による玄関画像出力装置の動作を示すフローチャート
【図１２】同実施の形態による玄関画像出力装置の他の構成を示すブロック図
【図１３】同実施の形態による玄関画像出力装置の他の構成を示すブロック図
【符号の説明】
【００７６】
１、２０  玄関画像出力装置
２  個別玄関用カメラ
３  室内端末
４  個別玄関端末
５  集合玄関用カメラ
６  集合玄関端末
７  制御部
１１  マイクロホン
１２、２２  判断部
１３  集合玄関画像情報受信部
１４  個別玄関画像情報受信部
１５  選択部
１６  出力部
１７、２３  要求情報送信部
１８、２４  起動部
２１  表示デバイス
【図１】
0004778836.tif 000002
【図２】
0004778836.tif 000003
【図３】
0004778836.tif 000004
【図４】
0004778836.tif 000005
【図５】
0004778836.tif 000006
【図６】
0004778836.tif 000007
【図７】
0004778836.tif 000008
【図８】
0004778836.tif 000009
【図９】
0004778836.tif 000010
【図１０】
0004778836.tif 000011
【図１１】
0004778836.tif 000012
【図１２】
0004778836.tif 000013
【図１３】
0004778836.tif 000014